(57)【要約】      （修正有）【課題】機器本体の小型化やコネクタ用アダプタの高密度実装を図りながら、光ケーブルコネクタをコネクタ用アダプタに抜き差しする作業の作業性の向上を図った光通信機器を提供する。【解決手段】ケーブルコネクタ３７が両端に接続されるコネクタ用アダプタ３０と、コネクタ用アダプタ３０を第１方向に複数配列して保持する保持板３６と、を有するアダプタユニット３５と、アダプタユニット３５を第１方向と直交する第２方向に複数配列して保持するとともに、複数配列して保持したアダプタユニット３５のうち、第２方向における一端側に配置されたアダプタユニット３５から順に、アダプタユニット３５に隣り合うアダプタユニット３５から離れる方向に移動させて保持することが可能な表面パネル２０と、を備えた。【選択図】図２
2016109899.tif 000002
【特許請求の範囲】
【請求項１】
ケーブルコネクタが両端に接続されるコネクタ用アダプタと、前記コネクタ用アダプタを第１方向に複数配列して保持する保持板と、を有するアダプタユニットと、
前記アダプタユニットを前記第１方向と直交する第２方向に複数配列して保持するとともに、複数配列して保持した前記アダプタユニットのうち、前記第２方向における一端側に配置されたアダプタユニットから順に、該アダプタユニットに隣り合うアダプタユニットから離れる方向に移動させて保持することが可能な表面パネルと、
を備えたことを特徴とする光通信機器。
【請求項２】
請求項１に記載の光通信機器において、
前記アダプタユニットは、前記保持板の前記第１方向における両端部に係止片を有し、
前記表面パネルは、前記保持板の前記第１方向における両端部に設けた係止片がそれぞれ挿入された状態で、前記アダプタユニットを前記第２方向に移動させることが可能なガイド部と、前記第２方向に一定間隔を空けて且つ前記表面パネルに保持する前記アダプタユニットの数よりも多く設けられ、前記表面パネルに複数配列される前記アダプタユニットの係止片が係止される係合部と、を有することを特徴とする光通信機器。
【請求項３】
請求項２に記載の光通信機器において、
前記表面パネルに設けた係合部のうち、前記アダプタユニットの前記保持板の係止片が係止される係合部の位置を変えることで、前記アダプタユニットを、該アダプタユニットに隣り合うアダプタユニットから離れる方向に移動させて保持することを特徴とする光通信機器。
【請求項４】
請求項２又は請求項３に記載の光通信機器において、
前記アダプタユニットは、前記保持板の係止片と前記表面パネルの前記係合部とを係止した状態で、固定部材により前記表面パネルに固定されることを特徴とする光通信機器。
【請求項５】
請求項１に記載の光通信機器において、
前記保持板は、前記第１方向における両端縁部に軸支され、前記アダプタユニットを前記第２方向に移動させる際に操作される回転部材を有し、
前記表面パネルは、前記回転部材の外周面が当接されるレール溝を有し、
前記アダプタユニットは、前記回転部材の操作時に、前記回転部材を前記レール溝に沿って摺動させることで前記第２方向に移動することを特徴とする光通信機器。
【請求項６】
請求項５に記載の光通信機器において、
前記保持板の前記第１方向における両端部を前記表面パネルに固定する固定部材と、
前記表面パネルに保持され、前記保持板の前記第１方向における両端部を前記表面パネルとの間で支持する支持部材と有することを特徴とする光通信機器。
【請求項７】
請求項６に記載の光通信機器において、
前記支持部材は、前記固定部材を露呈する開口を有することを特徴とする光通信機器。
【請求項８】
請求項１から請求項７のいずれか１項に記載の光通信機器において、
前記保持板は、前記第２方向の幅が前記コネクタ用アダプタを保持できる最小幅に設定されることを特徴とする光通信機器。
【請求項９】
請求項１から請求項８のいずれか１項に記載の光通信機器において、
前記保持板は、機器内部に配設されるケーブルのケーブルコネクタを前記コネクタ用アダプタに接続したときに、前記ケーブルを支持して、前記ケーブルにおける最小曲率半径を確保するケーブル支持片を有することを特徴とする光通信機器。
【請求項１０】
請求項１から請求項９のいずれか１項に記載の光通信機器において、
前記表面パネルは、機器内部から前記コネクタ用アダプタに差し込まれるケーブルのケーブルコネクタが挿通される挿通口を有し、
前記表面パネルは、前記アダプタユニットが前記第２方向に複数配列して保持されたときに、露呈される前記挿通口を遮蔽する遮蔽板を保持することを特徴とする光通信機器。
【発明の詳細な説明】
【技術分野】
【０００１】
本発明は、光通信機器に関する。
【背景技術】
【０００２】
高速広帯域通信サービスの普及に伴い、高速大容量の情報を低損失で伝送できる光ファイバケーブル（以下、光ケーブルと称する）が広く用いられている。また、光ファイバケーブルを多数接続される光通信機器が提供されている。このような光通信機器は小型化の傾向にある。したがって、光ケーブルに設けた光ケーブルコネクタが差し込まれる光ケーブルコネクタ用アダプタ（以下、コネクタ用アダプタと称する）は高密度実装されている。コネクタ用アダプタが高密度実装される光実装される光通信機器において、光ケーブルの配線や接続を変更する時の作業性を向上させる方法として、例えばコネクタ用アダプタを複数有するパネル部をユニット本体から前方に引き出す、又は、一端がユニット本体に軸支されたパネル部を回動させることが考案されている（特許文献１参照）。
【先行技術文献】
【特許文献】
【０００３】
【特許文献１】特開２０１２−６８５６６号公報
【発明の概要】
【発明が解決しようとする課題】
【０００４】
高密度実装されたコネクタ用アダプタに対して光ケーブルコネクタを抜き差しする作業は、作業者が指で直接行う、又は専用の工具を用いて行うなどの方法が挙げられる。例えば指で光ケーブルコネクタを高密度実装されたコネクタ用アダプタに抜き差しする作業は、コネクタ用アダプタ間のスペースに指を挿入しづらく、作業効率が悪い。また、専用の工具を用いた作業は、作業者の慣れが必要であり、やはり、作業効率が悪い。そこで、作業効率を向上させるために、隣り合うコネクタ用アダプタ間を広く設定することが考えられるが、コネクタ用アダプタの高密度実装に反しており、また、光通信機器が大型化してしまうという問題がある。
【０００５】
本件開示の光通信機器は、機器本体の小型化やコネクタ用アダプタの高密度実装を図りながら、光ケーブルコネクタをコネクタ用アダプタに抜き差しする作業の作業性を向上させることができるようにした技術を提供することを目的とする。
【課題を解決するための手段】
【０００６】
一つの観点によれば、ケーブルコネクタが両端に接続されるコネクタ用アダプタと、前記コネクタ用アダプタを第１方向に複数配列して保持する保持板と、を有するアダプタユニットと、前記アダプタユニットを前記第１方向と直交する第２方向に複数配列して保持するとともに、複数配列して保持した前記アダプタユニットのうち、前記第２方向における一端側に配置されたアダプタユニットから順に、該アダプタユニットに隣り合うアダプタユニットから離れる方向に移動させて保持することが可能な表面パネルと、を備えたことを特徴とする。
【発明の効果】
【０００７】
本件開示の光通信機器は、機器本体の小型化や高密度実装を図りながら、ケーブルコネクタをコネクタ用アダプタに抜き差しする作業の作業性の向上を図ることできる。
【図面の簡単な説明】
【０００８】
【図１】第１実施形態における光通信機器の表面パネルの一例を示す斜視図である。
【図２】表面パネル及びアダプタユニットの一例を示す斜視図である。
【図３】アダプタユニットの一例を示す斜視図である。
【図４】全てのアダプタユニットを保持した表面パネルと、該表面パネルに固定される被覆板との一例を示す斜視図である。
【図５】保持板の係止片とガイド孔に設けた係合片との係合状態を示す斜視図である。
【図６】保持板の係止片とガイド孔に設けた係合片との係合が解除された状態を示す斜視図である。
【図７】保持板を−Ｘ方向に移動させたときの、保持板の係止片とガイド孔に設けた係合片との位置関係を示す斜視図である。
【図８】保持板をＺ方向に移動させたときの、保持板の係止片とガイド孔に設けた係合片の位置関係を示す斜視図である。
【図９】保持板をＸ方向に移動させたときの、保持板の係止片とガイド孔に設けた係合片との位置関係を示す斜視図である。
【図１０】保持板を−Ｚ方向に移動させて保持板の係止片を、上部に位置する係合片に係合させた状態を示す斜視図である。
【図１１】第２実施形態における光通信機器の表面パネルの一例を示す斜視図である。
【図１２】表面パネル及びアダプタユニットの一例を示す斜視図である。
【図１３】支持板及び表面パネルに支持されるアダプタユニットの状態を示す斜視図である。
【図１４】Ｚ方向に移動させたときのアダプタユニットの状態を示す斜視図である。
【発明を実施するための形態】
【０００９】
以下、図１から図１０に示す本発明を用いた光通信機器の一例を、第１実施形態として説明する。
＜第１実施形態＞
図１及び図２は、本発明の一実施形態に係る光通信機器の一例を示す。光通信機器１０は、専用のラックやキャビネットに収納された状態で他の光通信機器１０と接続される。光通信機器１０の前面には、他の光通信機器との間の接続を行うための光ケーブルが複数接続される。なお、図１及び図２においては、図の煩雑さを解消するために、光ケーブルを省略し、光ケーブルコネクタ１５のみを図示している。また、図１においては、一部の光ケーブルコネクタにのみ符号１５を付している。
【００１０】
光通信機器１０の表面パネル２０は、マトリクス状に配列された複数のコネクタ用アダプタ３０の他、光コネクタとは異なる通信規格に基づいたコネクタを嵌合するコネクタ部（図示省略）を露呈する。コネクタ用アダプタ３０は、後述するアダプタユニット３５の一部である。アダプタユニット３５は上下方向（Ｚ方向）に複数配列した状態で表面パネル２０に保持される。アダプタユニット３５が複数配列した状態で表面パネル２０に保持されることで、複数のコネクタ用アダプタ３０が高密度実装される。なお、表面パネル２０に保持されるアダプタユニット３５の個数は、光通信機器１０の仕様によって適宜設定されるものである。以下、表面パネル２０に保持するアダプタユニット３５の個数をｎ個（例えばｎ＜３）とする。図１及び図２においては、表面パネル２０に保持するアダプタユニット３５の個数をｎ＝１３個とした場合を示す。
【００１１】
表面パネル２０は、略中央に開口２１を有する。開口２１は、アダプタユニット３５の各コネクタ用アダプタ３０に差し込まれるケーブルコネクタ３７が挿通される。ここで、ケーブルコネクタ３７は、光通信機器の内部に配設される光ケーブルの一端に有する。表面パネル２０は、開口２１の左右近傍に、上下方向（Ｚ方向）に沿ったガイド孔２２，２３を有する。ガイド孔２２は、短手方向（Ｘ方向）における一方の内壁面から他方の内壁面に向けて突出する複数の係合片２４を有する。複数の係合片２４は凹部２４ａをそれぞれ備えている。ここで、係合片２４の突出量は、係合片２４の先端とガイド孔２２の他方の内壁面との隙間に係止片４３が通過できるように設定される。
【００１２】
また、ガイド孔２２の下端部には、凹部２５が設けられる。係合片２４に設けられる凹部２４ａと、ガイド孔２２の下端部に設けられる凹部２５には、アダプタユニット３５に設けた係止片４３が係止される。ここで、複数の係合片２４に設けられる凹部２４ａとガイド孔２２の下端部に設けられる凹部２５との総数は、表面パネル２０に保持されるアダプタユニット３５の個数よりも多く設けられる。本実施形態では、複数の係合片２４に設けられる凹部２４ａとガイド孔２２の下端部に設けられる凹部２５との総数が、保持されるアダプタユニット３５の個数に対して１個多く設けられている場合を示している。第１実施形態では、表面パネル２０に保持されるアダプタユニット３５の個数をｎ＝１３としているので、複数の係合片２４に設けられる凹部２４ａとガイド孔２２の下端部に設けられる凹部２５との総数は１４個となる。なお、複数の係合片２４に設けられる凹部２４ａとガイド孔２２の下端部に設けられる凹部２５との総数は、アダプタユニット３５の個数よりも２個以上多く設けられていてもよい。
【００１３】
同様にして、ガイド孔２３は、短手方向における一方の内壁面から他方の内壁面に向けて突出する複数の係合片２６を有する。係合片２６が突出する方向は、ガイド孔２３に設けた係合片２４が突出する方向と同一方向となる。複数の係合片２６は凹部２６ａをそれぞれ備えている。ここで、係合片２６の突出量は、係合片２６の先端とガイド孔２３の他方の内壁面との隙間に係止片４４が通過できるように設定される。ガイド孔２３は、下端部に凹部２７が設けられる。
【００１４】
ここで、ガイド孔２３に設けられる凹部２６ａ、及びガイド孔２３の下端部に設けた凹部２７の総数は、ガイド孔２２に設けられる凹部２４ａ、及びガイド孔２２の下端部に設けた凹部２５の総数と同一数に設定される。
【００１５】
また、係合片２６の凹部２６ａ及びガイド孔２３の下端部に設けた凹部２７の上下方向における位置は、係合片２４の凹部２４ａ及びガイド孔２２の下端部に設けた凹部２５の上下方向における位置と同一位置に設定される。
【００１６】
図３に示すように、アダプタユニット３５は、複数のコネクタ用アダプタ３０と、複数のコネクタ用アダプタ３０を保持する保持板３６とを含む。コネクタ用アダプタ３０は、長手方向（Ｙ方向）の一端側に、他の光通信機器１０に接続された光ケーブルの光ケーブルコネクタ１５が接続され、長手方向の他端側に、光通信機器１０の内部を引き回された光ケーブルの光ケーブルコネクタ３７が接続される。
【００１７】
保持板３６は、長手方向（Ｙ方向）に一定間隔を開けて配置される複数の開口３８を有する。図３においては、１０個のコネクタ用アダプタ３０が保持板３６に保持される場合を示す。コネクタ用アダプタ３０は、長手方向における一端部が保持板３６の表面３６ａ側から、他端部が保持板３６の裏面３６ｂからそれぞれ突出した状態となるように保持板３６の開口３８にそれぞれ装着される。なお、コネクタ用アダプタ３０は、ねじなどの固定具により保持板３６に保持してもよいし、コネクタ用アダプタ３０に設けた係止爪により保持板３６に係止させることで、コネクタ用アダプタ３０を保持板３６に保持してもよい。
【００１８】
ここで、保持板３６のＺ方向における幅は、コネクタ用アダプタ３０を保持できる最小幅に設定される。コネクタ用アダプタ３０を保持できる最小幅は、コネクタ用アダプタ３０の仕様などによって適宜設定されるものである。
【００１９】
保持板３６は、長手方向（Ｘ方向）の両端部に、保持板３６を表面パネル２０に固定するねじが挿通される長孔３９，４０を有する。保持板３６は、長孔３９及び長孔４０の近傍に、作業者により把持される把持部４１，４２を有する。また、保持板３６は、保持板３６の長手方向の両端部に係止爪４３，４４を有する。保持板３６は、裏面下部に、Ｙ方向に延びた支持片４５を有する。支持片４５は、光ケーブルコネクタがコネクタ用アダプタ３０に差し込まれた光ケーブルを、光ケーブルの最小曲率半径を維持した状態で支持する。
【００２０】
アダプタユニット３５は、表面パネル２０の下方から順に保持される。まず、作業者は、光通信機器１０の内部に配設される光ケーブルの光ケーブルコネクタ３７を、保持板３６の裏面側から、コネクタ用アダプタ３０に差し込む。そして、作業者は、アダプタユニット３５の保持板３６に設けた把持部４１，４２をそれぞれ手で掴み、アダプタユニット３５を表面パネル２０に向けて移動させる。このときに、アダプタユニット３５の保持板３６に設けた係止片４３，４４が、表面パネル２０のガイド孔２２，２３にそれぞれ挿入される。
【００２１】
作業者は、アダプタユニット３５を下方に移動させる。アダプタユニット３５が下方に移動させると、保持板３６の両端部に設けた係止片４３，４４が、ガイド孔２２，２３に沿って移動する。作業者は、アダプタユニット３５の保持板３６に設けた係止片４３が最も下部に位置する係合片２４のＺ方向における位置よりも低い位置まで、アダプタユニット３５を移動させる。このときに、保持板３６に設けた係止片４４は、最も下部に位置する係合片２６のＺ方向における位置よりも低い位置まで移動する。
【００２２】
作業者は、アダプタユニット３５をＸ方向に移動させる。アダプタユニット３５のＸ方向への移動により、保持板３６に設けた係止片４３がガイド孔２２に設けた凹部２５の上方に移動する。同時に、保持板３６に設けた係止片４４がガイド孔２３に設けた凹部２７の上方に移動する。作業者がアダプタユニット３５を再度下方に移動させると、保持板３６に設けた係止片４３が凹部２５に係止され、保持板３６に設けた係止片４４が凹部２７に係止される。作業者は、ねじ４６を用いて、保持板３６の両端部を固定する。これにより、最も下部に位置するアダプタユニット３５が表面パネル２０に保持される。
【００２３】
同様の作業を行うことで、複数のアダプタユニット３５が下方から順に表面パネル２０に保持される。なお、最下部に位置するアダプタユニット３５を表面パネル２０に保持した後で、新たなアダプタユニット３５を表面パネル２０に装着する場合、新たなアダプタユニット３５の保持板３６に設けた係止片４３は、使用されていない係合片２４のうち、最も下方に位置する係合片２４の凹部２４ａに係止される。同時に、新たなアダプタユニット３５の保持板３６に設けた係止片４４は、使用されていない係合片２６のうち、最も下方に位置する係合片２６の凹部２６ａに係止される。このようにして、複数のアダプタユニット３５が下方から順に、表面パネル２０にそれぞれ保持される。
【００２４】
図４に示すように、全てのアダプタユニット３５が表面パネル２０に保持された状態では、表面パネル２０の開口２１やガイド孔２２，２３の上端部は被覆されず、光通信機器１０の内部や、ガイド孔２２，２３に設けられた係合片２４，２６が視認される。したがって、全てのアダプタユニット３５が表面パネル２０に保持された後、作業者は、ねじ４７を用いて遮蔽板４８を固定する。遮蔽板４８を表面パネル２０に固定することで、表面パネル２０に設けた開口２１やガイド孔２２，２３の上端縁部が遮蔽される。ここで、遮蔽板４８は、アダプタユニット３５の保持板３６と同様に長手方向の両端部に係止片を有する遮蔽板であってもよいし、係止片を有していない遮蔽板であってもよい。
【００２５】
次に、表面パネル２０に保持したアダプタユニット３５のそれぞれに光ケーブルコネクタ１５を差し込む、又はアダプタユニット３５に差し込まれた光ケーブルコネクタ１５を引き抜く作業を行う場合について、図５〜図１０を用いて説明する。なお、図５から図１０においては、移動させるアダプタユニット３５の保持板３６のうち、係止片４３，４４のみを実線にて示し、保持板３６の他の箇所に対しては二点鎖線を用いて図示している。
【００２６】
まず、作業者は、遮蔽板４８を固定したねじ４６を外し、遮蔽板４８を表面パネル２０から外す。次に、最も上部にあるアダプタユニット３５を固定したねじ４６を外す。作業者は、最も上部にあるアダプタユニット３５の保持板３６に設けた把持部４１，４２を掴み、アダプタユニット３５を上方に（Ｚ方向）移動させる。アダプタユニット３５の上方への移動により、保持板３６に設けた係止片４３と係合片２４の凹部２４ａとの係合が解除される。同時に、保持板３６に設けた係止片４４と係合片２６の凹部２６ａとの係合が解除される。
【００２７】
保持板３６に設けた係止片４３と係合片２４の凹部２４ａとの係合が解除され、同時に、保持板３６に設けた係止片４４と係合片２６の凹部２６ａとの係合が解除されると、作業者は、アダプタユニット３５を−Ｘ方向に移動させる。これにより、保持板３６に設けた係止片４３が係合片２４の凹部２４ａの上方から退避した状態となる。同時に、保持板３６に設けた係止片４４が係合片２６の凹部２６ａとの上方から退避した状態となる。
【００２８】
作業者は、アダプタユニット３５を上方に所定量移動させる。アダプタユニット３５が所定量移動することで、保持板３６に設けた係止片４３のＺ方向における位置が、最も上部にある係合片２４とガイド孔２２の上端部との間となる。同時に、保持板３６に設けた係止片４４のＺ方向における位置が、最も上部にある係合片２６とガイド孔２３の上端部との間となる。作業者は、アダプタユニット３５をＸ方向に移動させる。これにより、保持板３６に設けた係止片４３が、最も上部に位置する係合片２４の凹部２４ａの上方に移動する。同時に、保持板３６に設けた係止片４４が、最も上部に位置する係合片２６の凹部２４ａの上方に移動する。
【００２９】
作業者がアダプタユニット３５を下方に（−Ｚ方向に）移動させると、保持板３６の係止片４３が、最も上部に位置する係合片２４に係止される。同時に、保持板３６の係止片４４が、最も上部に位置する係合片２６に係止される。これにより、移動させたアダプタユニット３５と、移動させていないアダプタユニット３５のうち、最も上部に位置するアダプタユニット３５とは、１個分のアダプタユニット３５空けた状態となる。したがって、移動させた最も上部のアダプタユニット３５に設けられたコネクタ用アダプタ３０に対して、光ケーブルコネクタ１５を抜き差しする作業を容易に行うことが可能である。同時に、移動させていないアダプタユニット３５のうち、最も上部に位置するアダプタユニット３５に対して、光ケーブルコネクタ１５を抜き差しする作業を容易に行うことが可能である。アダプタユニット３５のコネクタ用アダプタ３０に対して光ケーブルコネクタを抜き差しする作業を終えると、作業者は、移動させたアダプタユニット３５を元の位置に戻す作業を行う。ここで、移動させたアダプタユニット３５を元の位置に戻す作業は、移動させたアダプタユニット３５を、上記説明とは反対の手順で移動させればよい。
【００３０】
上記説明では、光ケーブルコネクタ１５を抜き差しするアダプタユニットとして、最も上部にあるアダプタユニット３５を例に挙げて説明している。しかしながら、光ケーブルコネクタ１５を抜き差しする作業を行うアダプタユニット３５は、最も上部にあるアダプタユニット３５に限定されない。つまり、表面パネル２０に保持された各アダプタユニット３５に対して光ケーブルコネクタ１５を抜き差しする作業を行う場合もある。この場合には、光ケーブルコネクタ１５を抜き差しするアダプタユニット（対象となるアダプタユニット）３５よりも上方に保持されるアダプタユニット３５を、最も上部にあるアダプタユニット３５から順に上方に移動させればよい。
【００３１】
このように、対象となるアダプタユニット３５よりも上部に位置するアダプタユニット３５を１個ずつ上方にずらしていくことで、対象となるアダプタユニット３５と下方に位置するアダプタユニット３５とに隙間を生じさせることができる。したがって、作業者は指をコネクタ用アダプタ間の隙間に挿入しやすくなり、光ケーブルコネクタ１５をコネクタ用アダプタ３０に対して抜き差しする作業を容易に行うことが可能となる。
【００３２】
また、コネクタ用アダプタ３０を保持する保持板３６の幅を、コネクタ用アダプタ３０を保持できる最小幅としている。したがって、表面パネル２０にアダプタユニットを複数配列して保持したときには、コネクタ用アダプタ３０を高密度で実装することが可能となる。
【００３３】
アダプタユニット３５のコネクタ用アダプタ３０に対して光ケーブルアダプタ１５を抜き差しする作業は、アダプタユニット３５を上方に又は下方に移動させている。一方、光通信機器１０の内部に配設される光ケーブルの光ケーブルコネクタ３７がコネクタ用アダプタ３０に差し込まれたときには、光ケーブルは支持片４５により支持される。したがって、アダプタユニットを上下方向に移動させたとしても、支持片４５により光ケーブルの最小曲率半径が維持され、光ケーブルの伝送性能が維持される。
【００３４】
また、コネクタ用アダプタ３０を表面パネル２０に直接保持させるのではなく、アダプタユニット３５として表面パネル２０に保持させるので、光ケーブルの光ケーブルコネクタ１５を抜き差しする作業をユニット単位で実行することができる。その結果、光ケーブルコネクタ１５を抜き差しする作業の作業性を向上させることができる。
【００３５】
なお、アダプタユニット３５を交換する場合も、光ケーブルを抜き差しする作業と同様に、作業者は対象となるアダプタユニット３５よりも上方に位置するアダプタユニット３５を、最も上部に位置するアダプタユニットから順に上方に移動させることで可能となる。
【００３６】
第１実施形態では、表面パネル２０に装着した各アダプタユニット３５をねじ止め固定しているが、保持板３６は表面パネル２０と係合されていることから、表面パネル２０に保持した全てのアダプタユニット３５をねじ止め固定する必要はない。つまり、表面パネル２０に保持したアダプタユニット３５のうち、最も上部に位置するアダプタユニット３５のみをねじ止め固定する形態であってもよい。また、この他に、保持されるアダプタユニット３５に対してねじ止め固定を行わず、遮蔽板４８をねじ止め固定する形態であってもよい。
【００３７】
第１実施形態では、コネクタ用アダプタ３０をＸ方向に配列したアダプタユニット３５を例に取り上げているが、コネクタ用アダプタ３０をＸ方向ではなく、Ｚ方向に配列したアダプタユニットであっても同様の効果を得ることができる。コネクタ用アダプタ３０をＺ方向に配列したアダプタユニットを用いる場合には、第１実施形態にて説明した表面パネルに設けられるガイド孔は、開口２１の左右端部近傍に設けるのではなく、上端近傍及び下端近傍に設ければよい。コネクタ用アダプタ３０をＺ方向に配列したアダプタユニットの場合には、アダプタユニットを左右方向に移動させることになるので、上下方向への移動によるケーブルの曲率半径があまり変化しない。したがって、ネクタ用アダプタ３０をＺ方向に配列したアダプタユニットを用いる場合には、保持板に設けた支持片の構成は省略することができる。
【００３８】
第１実施形態では、表面パネル２０の開口２１の左端近傍に、係合片２４を設けたガイド孔２２を、表面パネル２０の開口２１の右端近傍に、係合片２６を設けたガイド孔２３をそれぞれ設けた実施形態としている。しかしながら、係合片２４を設けたガイド孔２２を表面パネル２２に設けるのではなく、ガイド孔を有する一対のガイド片を表面パネルに保持することも可能である。また、表面パネルに直交する一片を有するＸＹ平面における断面がＬ字状のガイド片を表面パネルにそれぞれ固定し、表面パネルに直交する一片にガイド孔を設けることも可能である。Ｌ字状のガイド片を設ける場合、アダプタユニットの保持板に設けられる係止片は、保持板の裏面ではなく、保持板の長手方向の両端部に設ければよい。Ｌ字状のガイド片を設けた場合も、第１実施形態と同様に、アダプタユニットを上下方向に移動させる必要があるが、コネクタ用アダプタに差し込まれた光ケーブルは、保持板に設けた支持片によって光ケーブルの最小曲率半径を維持することができる。
【００３９】
第１実施形態では、アダプタユニット３５の保持板３６に設けた係止片４３，４４と、表面パネル２０のガイド孔２２，２３に設けた係合片２４，２６とを係合させて、アダプタユニット３５を表面パネル２０に保持する場合について説明している。しかしながら、アダプタユニット３５を移動させて保持する構成は、上記構成に限定されるものではない。以下、第２実施形態として、表面パネルに上下方向に延びるレール溝を、アダプタユニットの保持板に操作ホイールを、それぞれ設けた場合について説明する。
＜第２実施形態＞
以下、第２実施形態における光通信機器の表面パネルの構成について、図１１〜図１４を用いて説明する。図１１に示すように、第２実施形態における光通信機器６０は、第１実施形態と同様に、複数のコネクタ用アダプタ３０が複数マトリクス状に表面パネル６１に保持される。ここで、複数のコネクタ用アダプタ３０は、アダプタユニット７０の一部として構成される。つまり、第２実施形態における光通信機器６０は、前面パネル６１に複数のアダプタユニット７０をＺ方向に複数配列した状態で保持する。
【００４０】
図１２に示すように、表面パネル６１は、略中央に開口６２が設けられる。開口６２の左右端の近傍には、上下方向に延びるレール溝６３，６４が設けられる。符号６５，６６は、アダプタユニット７０を表面パネル６１に固定するためのねじ７２が螺合するねじ孔である。
【００４１】
アダプタユニット７０は、第１実施形態のアダプタユニット３５と同様に、複数のコネクタ用アダプタ３０と、複数のコネクタ用アダプタ３０を保持する保持板７５とから構成される。なお、コネクタ用アダプタ３０の構成は第１実施形態と同様の構成であることから、同一の符号を付して説明する。
【００４２】
コネクタ用アダプタ３０を保持する保持板７３は、長手方向（Ｘ方向）の両端部に、操作ホイール７４，７５が挿通される開口７６，７７を有する。なお、図１２においては、操作ホイール７４，７５の回転軸を軸支するための軸受け部の構成を図示していないが、実際には、操作ホイール７４，７５は、軸受け部を介して開口７６，７７に挿通された状態で保持板７３に軸支される。ここで、保持板７３のＺ方向における幅は、第１実施形態と同様に、コネクタ用アダプタ３０を保持できる最小幅に設定される。
【００４３】
アダプタユニット７０は、ねじ７２等の固定具を用いて表面パネル６１に保持される。したがって、保持板７３は、ねじ７２が挿通される長孔７８，７９が両端部に設けられる。以下、第２実施形態では、アダプタユニット７０を表面パネル６１に固定する固定具としてねじ７２を用いた場合を説明するが、固定ピンなどを用いることも可能である。なお、符号８０は、保持板７３の下端部から後方に（Ｙ方向に）延出された支持片である。
【００４４】
支持板８３，８４は、表面パネル６１の両端部に固定される。支持板８３，８４は、ねじ７２を取り外した状態のアダプタユニット７０の両端部を支持して、アダプタユニット７０が表面パネル６１から脱落することを防止する。支持板８３，８４は、短手方向がクランク状に屈曲されている。短手方向をクランク状に屈曲させた支持板８３，８４を表面パネル６１に固定することで、支持板８３，８４と表面パネル６１との間に、保持板７３の厚み分の隙間が設けられる。なお、図示は省略するが、支持板８３，８４は、ねじなどによって固定される。
【００４５】
第２実施形態のアダプタユニット７０は、作業者は、光通信機器６０の内部を引き回された光ケーブルの光ケーブルコネクタ（図示省略）を、コネクタ用アダプタ３０の一端部に差し込む。そして、作業者は、アダプタユニット７０を、表面パネル６１の下端部から順にねじ止め固定する。全てのアダプタユニット７０を表面パネル６１にねじ止め固定すると、開口６２の上端側が遮蔽されず、光通信機器６０の内部が視認できる状態となる。したがって、作業者は、全てのアダプタユニット７０をねじ止め固定した後、遮蔽板８５をねじ止め固定する。遮蔽板８５をねじ止め固定することで、開口６２の上端側が遮蔽される。
【００４６】
作業者は、遮蔽板８５をねじ止め固定した後、表面パネル６１の左端部及び右端部に支持板８３，８４を固定する。支持板８３，８４が表面パネル６１に固定された状態では、表面パネル６１にねじ止め固定された全てのアダプタユニット７０の保持板７３の両端部及び遮蔽板８５の両端部は、表面パネル６１と支持板８３，８４とによって支持された状態となる。また、アダプタユニット７０の保持板７３を固定するねじ７２や遮蔽板８５を固定するねじ７２は、支持板８３，８４に設けた長孔８３ａ，８４ａに挿通され、支持板８３，８４から露呈された状態となる。
【００４７】
表面パネル６１に保持したアダプタユニット７０のそれぞれに光ケーブルコネクタ１５を差し込む、又はアダプタユニット７０に差し込まれた光ケーブルコネクタ１５を引き抜く作業を行う場合について、図１３及び図１４を用いて説明する。まず、作業者は、遮蔽板８５を固定するねじ７２を外す。遮蔽板８５の両端部は、表面パネル６１と支持板８３，８４とに挟まれているので、遮蔽板８５が表面パネル６１から脱落することが防止される。作業者は、遮蔽板８５を上方に移動させ、表面パネル６１と支持板８３，８４との隙間から遮蔽板８５を取り外す。
【００４８】
次に、最も上部に位置するアダプタユニット７０を固定するねじ７２を外す。脱落防止片８３，８４は、アダプタユニット７０の保持板７３の両端部の前方に位置する。したがって、アダプタユニット７０を固定するねじ７２を外しても、アダプタユニット７０は、表面パネル６１の前方に移動せずに、支持板８３，８４によって保持板７３の両端部が表面パネル６１と支持板８３，８４とに挟持された状態で保持される。
【００４９】
作業者は、保持板７３の両端部に設けた操作ホイール７４，７５を図中Ｒ１方向に回転させる。ここで、操作ホイール７４の外周面は、表面パネル６１のレール溝６３の底面に当接されている。また、操作ホイール７５の外周面は、表面パネル６１のレール溝６４の底面に当接されている。作業者は、操作ホイール７４，７５を図中Ｒ１方向に回転させる。ここで、操作ホイール７４，７５は、保持板７３に軸支されていることから、操作ホイール７４，７５を回転させると、回転する操作ホイール７４，７５は、外周面がレール溝６３，６４の底面と摺接しながら、上方に移動する。したがって、アダプタユニット７０が上方に移動する。
【００５０】
アダプタユニット７０を上方に移動させた後、作業者は、ねじ７２を用いてアダプタユニット７０を仮固定する。これにより、アダプタユニット７０が、上方へ移動した位置に保持される。作業者は、アダプタユニット７０に設けた光コネクタ用アダプタ３０に抜き差しする作業を実行する。アダプタユニット７０に設けた光コネクタ用アダプタ３０に抜き差しする作業を終えた後、作業者はねじ７２を外し、操作ホイール７４，７５を図中Ｒ２方向に回転させる。操作ホイール７４，７５を図中Ｒ２方向へ回転させることで、操作ホイール７４，７５がレール溝６３，６４の底面に摺接しながら、アダプタユニット７０が下方に移動する。アダプタユニット７０が元の位置まで移動すると、作業者は、操作ホイール７４，７５の図中Ｒ２方向への回転を停止する。作業者は、ねじ７２を用いてアダプタユニット７０を表面パネル６１に固定する。
【００５１】
なお、上記説明では、最も上部にあるアダプタユニット７０に対して光ケーブルコネクタ１５を抜き差しする作業を行う場合について説明しているが、表面パネル６１に保持されたアダプタユニット７０に対して光ケーブルコネクタ１５を抜き差しする作業を行う場合もある。この場合、対象とするアダプタユニット７０よりも上方に保持されるアダプタユニット３５を最も上部にあるアダプタユニット７０から順に移動させればよい。
【００５２】
このように、第２実施形態の場合にも、対象となるアダプタユニット７０よりも上方に位置するアダプタユニットを１列ずつ上方にずらしていくことで、対象となるアダプタユニット７０と隣り合うアダプタユニットとに隙間を生じさせることができる。したがって、第２実施形態においても、第１実施形態と同様の効果を得ることができる。
【００５３】
なお、第２実施形態の場合、アダプタユニット７０を交換する場合には、作業者は、支持板８３，８４を取り外す。そして、作業者は、対象となるアダプタユニット７０を固定するねじ７２を外し、対象となるアダプタユニット７０を新たなアダプタユニット７０に交換する。そして、新たなアダプタユニット７０を表面パネル６１にねじ止め固定した後、支持板８３，８４を表面パネル６１に固定する。これにより、支持板８３，８４及び対象となるアダプタユニット７０を取り外すだけで容易にアダプタユニット７０を交換することが可能となる。
【００５４】
第２実施形態の場合、保持板７３に設けられた操作ホイール７４，７５を回転させることで、アダプタユニット７０を上方に移動させるようにしているが、保持板７３に操作ホイール７４，７５を軸支させる必要はない。図示は省略するが、保持板７３の表面に把持部を設け、作業者が把持部を掴んで、アダプタユニット７０を上方に移動させることも可能である。
【００５５】
第２実施形態では、表面パネル６１にレール溝６３，６４を、アダプタユニット７０にレール溝６３，６４の底面に摺接する操作ホイール７４，７５を設けているが、例えば、レール溝６３，６４の底面にラックを設けてもよい。この場合、アダプタユニット７０に操作ホイール７４，７５の代わりにラックに噛合する歯車を設けることも可能である。
【００５６】
第２実施形態では、コネクタ用アダプタ３０をＸ方向に配列したアダプタユニット７０を例に取り上げているが、コネクタ用アダプタ３０をＺ方向に配列したアダプタユニットであっても同様の効果を得ることができる。この場合、表面パネルに設けられるレール溝を、開口の上部近傍及び下部近傍に設け、また、脱落防止片を表面パネルの上端部及び下端部に固定すればよい。また、この場合、アダプタユニットは、左右方向に移動させることになり、上下方向の移動量は小さい。したがって、保持板に設けた支持片の構成は省略することができる。
【００５７】
第１実施形態及び第２実施形態においては、コネクタ用アダプタに差し込まれた光ケーブルを整線することについては、詳細を省略しているが、光ケーブルを整線するための整線機構を表面パネルに取り付けることも可能である。
【符号の説明】
【００５８】
１０…光通信機器、２０，６１…表面パネル、３０…コネクタ用アダプタ、３５，７０…アダプタユニット、２４，２６…係合片、４３，４４…係止片、４５，８０…支持片、４８，８５…遮蔽板、７４，７５…操作ホイール、８３，８４…脱落防止片
【図１】
2016109899.tif 000003
【図２】
2016109899.tif 000004
【図３】
2016109899.tif 000005
【図４】
2016109899.tif 000006
【図５】
2016109899.tif 000007
【図６】
2016109899.tif 000008
【図７】
2016109899.tif 000009
【図８】
2016109899.tif 000010
【図９】
2016109899.tif 000011
【図１０】
2016109899.tif 000012
【図１１】
2016109899.tif 000013
【図１２】
2016109899.tif 000014
【図１３】
2016109899.tif 000015
【図１４】
2016109899.tif 000016